(57)【要約】【課題】複数のパネルに表示する画像の輝度比を変化させることにより観察者に立体的な画像を表示する表示装置の場合、表示する立体画像の内容によっては十分な奥行き感が得られないとか、立体視が自然でなくて違和感が生じてしまう可能性がある。【解決手段】それぞれが間隔をおいて配置される２枚の表示パネルＰ１，Ｐ２を有する。また、立体画像を構成する部分画像の遠近位置に基づいた画像を、表示パネルＰ１，Ｐ２に表示することにより観察者に立体画像を視認させる画像表示部１３を有する。また、表示パネルＰ１，Ｐ２のうち、少なくとも１枚の表示パネルの外形形状を変形させて立体画像の内容を調整する表示パネル変形部６０を有する。【選択図】図４
2010049055.tif 000002
【特許請求の範囲】
【請求項１】
観察者に立体画像を視認させる表示装置であって、
それぞれが間隔をおいて配置される複数の表示パネルと、
前記立体画像を構成する複数の第１の部分画像のそれぞれの遠近位置に基づいた画像を、前記表示パネルのそれぞれに表示することにより前記観察者に前記立体画像を視認させる画像表示部と、
前記複数の表示パネルのうち、少なくとも１枚の前記表示パネルの外形形状を変形させて前記立体画像の内容を調整する表示パネル変形部と、を有することを特徴とする表示装置。
【請求項２】
前記表示パネルのそれぞれに表示する画像は、
前記立体画像が前記複数の第１の部分画像に分割された画像であって、
相対的に近位置として視認される前記第１の部分画像が、視認側から近い側に配置されている前記表示パネルに表示され、
相対的に遠位置として視認される前記第１の部分画像が、視認側から遠い側に配置されている前記表示パネルに表示されることを特徴とする請求項１に記載の表示装置。
【請求項３】
前記第１の部分画像は複数の第２の部分画像により構成され、
前記表示パネル変形部は、前記第２の部分画像のそれぞれの遠近位置に応じて、前記表示パネルにおける前記第２の部分画像の領域を視認側から見て凹状又は凸状となるように変形させることを特徴とする請求項２に記載の表示装置。
【請求項４】
前記表示パネル変形部は、前記第１の部分画像に人物が含まれるときに、前記表示パネルに対して、前記人物の顔領域を示す第２の部分画像の領域が、前記顔領域以外の前記人物を示す第２の部分画像の領域よりも、視認側から見て凹状となるように変形させることを特徴とする請求項３に記載の表示装置。
【請求項５】
前記表示パネルのそれぞれに表示する画像は、
相対的に近位置として視認される前記第１の部分画像の輝度が、視認側から近い側に配置されている前記表示パネルにおいて高くなるように調整され、
相対的に遠位置として視認される前記第１の部分画像の輝度が、視認側から遠い側に配置されている前記表示パネルにおいて高くなるように調整されていることを特徴とする請求項１から４のいずれか一項に記載の表示装置。
【請求項６】
ユーザからの操作を受け付ける操作部を更に有し、
前記表示パネル変形部は、前記操作部により受け付けた前記ユーザからの操作に基づいて、前記表示パネルの外形形状を変形させることを特徴とする請求項１から５のいずれか一項に記載の表示装置。
【請求項７】
前記表示パネルのそれぞれは、有機ＥＬパネルであることを特徴とする請求項１から６のいずれか一項に記載の表示装置。
【請求項８】
観察者に立体画像を視認させる表示装置であって、
表示パネルと、
第１の部分画像を表示する画像表示部と、
前記表示パネルの外形形状を変形させて前記立体画像の内容を調整する表示パネル変形部と、を有し、
前記表示パネル変形部は、前記第１の部分画像を構成する複数の第２の部分画像のそれぞれの遠近位置に応じて、前記表示パネルにおける前記第２の部分画像の領域を視認側から見て凹状又は凸状となるように変形させることを特徴とする表示装置。
【請求項９】
それぞれが間隔をおいて配置される複数の表示パネルを有して観察者に立体画像を視認させる表示装置の表示方法であって、
前記立体画像を構成する複数の第１の部分画像のそれぞれの遠近位置に基づいた画像を、前記表示パネルのそれぞれに表示することにより前記観察者に前記立体画像を視認させる画像表示工程と、
前記複数の表示パネルのうち、少なくとも１枚の前記表示パネルの外形形状を変形させて前記立体画像の内容を調整する表示パネル変形工程と、を有することを特徴とする表示装置の表示方法。
【請求項１０】
表示パネルを有して観察者に立体画像を視認させる表示装置の表示方法であって、
第１の部分画像を表示する画像表示工程と、
前記表示パネルの外形形状を変形させて前記立体画像の内容を調整する表示パネル変形工程と、を有し、
前記表示パネル変形工程において、前記第１の部分画像を構成する複数の第２の部分画像のそれぞれの遠近位置に応じて、前記表示パネルにおける前記第２の部分画像の領域を視認側から見て凹状又は凸状となるように変形させることを特徴とする表示装置の表示方法。
【発明の詳細な説明】
【技術分野】
【０００１】
本発明は、立体画像を表示する表示装置及び表示方法に関する。
【背景技術】
【０００２】
従来、特殊なメガネやレンチキュラーレンズ等を使用して視差画像を立体表示する方式が知られている。しかし、このような視差画像を利用する方式の場合、装置構成が複雑になってしまう問題や観察者に眼精疲労を引き起こす等の問題がある。このため、例えば下記の非特許文献１〜３に記載されている表示装置では、前後２枚の透明なＬＣＤパネルを所定の間隔で重ねて、それぞれのパネルに表示する画像の輝度比を変化させることにより観察者に立体的な画像を表示する方式を採用している。そして、この視差画像を用いない方式により、簡単な装置構成で、眼精疲労感の少ない立体画像の表示装置を実現している。
【０００３】
【非特許文献１】高田・陶山・伊達・昼間・中沢：“前後２面のLCDを積層した小型DFDディスプレイ”映像情報メディア学会誌，Vol.58，No.6，pp.807-810，2004
【非特許文献２】NTT技術ジャーナル記事2005.2“前後２面のLCDを積層したDFDディスプレイ”（http://www.ntt.co.jp/journal/0502/files/jn200502021.pdf）
【非特許文献３】ＮＴＴＩＴ製品（http://www.ntt-it.co.jp/goods/idp/dfd/principle.html）
【発明の開示】
【発明が解決しようとする課題】
【０００４】
しかしながら、上記した非特許文献１〜３に記載されるような表示装置では、立体画像における対象物を前後２枚のパネルに表示する際、対象物が近位置にある場合には、前面パネルにおける対象物の輝度を高くして後面パネルにおける対象物の輝度を低くするように調整している。逆に、対象物が遠位置にある場合には、前面パネルにおける対象物の輝度を低くして後面パネルにおける対象物の輝度を高くするように調整している。このように、２枚のパネルの輝度比を調整することによって各対象物の遠近位置を表現することから、表示する立体画像の内容によっては、十分な奥行き感が得られない問題や、立体視が自然でなくて違和感を感じてしまう等の問題が生じる可能性がある。
【課題を解決するための手段】
【０００５】
本発明は、上記の課題の少なくとも一部を解決するためになされたものであり、以下の形態又は適用例として実現することが可能である。
【０００６】
［適用例１］
観察者に立体画像を視認させる表示装置であって、それぞれが間隔をおいて配置される複数の表示パネルと、前記立体画像を構成する複数の第１の部分画像のそれぞれの遠近位置に基づいた画像を、前記表示パネルのそれぞれに表示することにより前記観察者に前記立体画像を視認させる画像表示部と、前記複数の表示パネルのうち、少なくとも１枚の前記表示パネルの外形形状を変形させて前記立体画像の内容を調整する表示パネル変形部と、を有することを特徴とする表示装置。
【０００７】
上記した表示装置によれば、画像表示部が、立体画像を構成する第１の部分画像の遠近位置に基づいた画像を複数の表示パネルに表示することにより、観察者に立体画像を視認させる。このとき、表示パネル変形部が、表示パネルの外形形状を変形させて立体画像の内容を調整することができ、この調整により、十分な奥行き感のある立体画像や、自然で滑らかな奥行き感を持つ立体画像を表現することができる。
【０００８】
［適用例２］
前記表示パネルのそれぞれに表示する画像は、前記立体画像が前記複数の第１の部分画像に分割された画像であって、相対的に近位置として視認される前記第１の部分画像が、視認側から近い側に配置されている前記表示パネルに表示され、相対的に遠位置として視認される前記第１の部分画像が、視認側から遠い側に配置されている前記表示パネルに表示されることを特徴とする上記表示装置。
【０００９】
上記した表示装置によれば、分割された画像である複数の第１の部分画像のそれぞれについて、近位置として視認される第１の部分画像は近い側に配置されている表示パネルに表示し、遠位置として視認される第１の部分画像は遠い側に配置されている表示パネルに表示している。これにより、観察者は、近い側及び遠い側に配置されている各表示パネルの合成画像を見ることで、立体画像を視認することができる。
【００１０】
［適用例３］
前記第１の部分画像は複数の第２の部分画像により構成され、前記表示パネル変形部は、前記第２の部分画像のそれぞれの遠近位置に応じて、前記表示パネルにおける前記第２の部分画像の領域を視認側から見て凹状又は凸状となるように変形させることを特徴とする上記表示装置。
【００１１】
上記した表示装置によれば、表示パネル変形部が、第１の部分画像を構成する複数の第２の部分画像のそれぞれの遠近位置に応じて、第２の部分画像の領域を凹状又は凸状となるように変形させる。これにより、手前に位置する第２の部分画像については表示パネルの領域を例えば凸状にして観察者側に近付け、逆に遠くに位置する第２の部分画像については表示パネルの領域を例えば凹状にして観察者側から遠ざけることができる。このような表示パネルの領域の部分的な凹状又は凸状の変形により、十分な奥行き感のある立体画像や、自然で滑らかな奥行き感を持つ立体画像を表現することができる。
【００１２】
［適用例４］
前記表示パネル変形部は、前記第１の部分画像に人物が含まれるときに、前記表示パネルに対して、前記人物の顔領域を示す第２の部分画像の領域が、前記顔領域以外の前記人物を示す第２の部分画像の領域よりも、視認側から見て凹状となるように変形させることを特徴とする上記表示装置。
【００１３】
上記した表示装置によれば、人物を表示する際、人物の顔領域を顔領域以外よりも凹状となるように変形させる。これにより、人物の顔部分が人物の体全体から遠くに位置するようになり、体全体に対して顔部分の面積が縮小した人物を観察者に視認させることができる。
【００１４】
［適用例５］
前記表示パネルのそれぞれに表示する画像は、相対的に近位置として視認される前記第１の部分画像の輝度が、視認側から近い側に配置されている前記表示パネルにおいて高くなるように調整され、相対的に遠位置として視認される前記第１の部分画像の輝度が、視認側から遠い側に配置されている前記表示パネルにおいて高くなるように調整されていることを特徴とする上記表示装置。
【００１５】
上記した表示装置によれば、近位置として視認される第１の部分画像の輝度が、近い側に配置されている表示パネルにおいて高くなるように調整されている。また、遠位置として視認される第１の部分画像の輝度が、遠い側に配置されている表示パネルにおいて高くなるように調整されている。これにより、観察者は、各表示パネルにおいて異なる輝度の画像を見ることで、立体画像を視認することができる。
【００１６】
［適用例６］
ユーザからの操作を受け付ける操作部を更に有し、前記表示パネル変形部は、前記操作部により受け付けた前記ユーザからの操作に基づいて、前記表示パネルの外形形状を変形させることを特徴とする上記表示装置。
【００１７】
上記した表示装置によれば、表示パネル変形部が、ユーザからの操作に基づいて表示パネルの外形形状を変形させる。これにより、ユーザの好みに応じて、視認する立体画像の内容を調整することができる。
【００１８】
［適用例７］
前記表示パネルのそれぞれは、有機ＥＬパネルであることを特徴とする上記表示装置。
【００１９】
上記した表示装置によれば、表示パネルのそれぞれが有機ＥＬパネルであることから、液晶パネルを表示パネルとする構成に比して、複数枚の表示パネルを配置したときに発生する透過率の減少を抑えることができ、表示装置の表面輝度の低下に対応することができる。
【００２０】
［適用例８］
観察者に立体画像を視認させる表示装置であって、表示パネルと、第１の部分画像を表示する画像表示部と、前記表示パネルの外形形状を変形させて前記立体画像の内容を調整する表示パネル変形部と、を有し、前記表示パネル変形部は、前記第１の部分画像を構成する複数の第２の部分画像のそれぞれの遠近位置に応じて、前記表示パネルにおける前記第２の部分画像の領域を視認側から見て凹状又は凸状となるように変形させることを特徴とする表示装置。
【００２１】
上記した表示装置によれば、表示パネル変形部が、第１の部分画像を構成する複数の第２の部分画像のそれぞれの遠近位置に応じて、第２の部分画像の領域を凹状又は凸状となるように変形させる。これにより、手前に位置する第２の部分画像については表示パネルの領域を例えば凸状にして観察者側に近付け、逆に遠くに位置する第２の部分画像については表示パネルの領域を例えば凹状にして観察者側から遠ざけることができる。このように、表示パネルの領域の部分的な凹状又は凸状の変形を行う簡易な対応により、立体画像を表現することができる。
【００２２】
［適用例９］
それぞれが間隔をおいて配置される複数の表示パネルを有して観察者に立体画像を視認させる表示装置の表示方法であって、前記立体画像を構成する複数の第１の部分画像のそれぞれの遠近位置に基づいた画像を、前記表示パネルのそれぞれに表示することにより前記観察者に前記立体画像を視認させる画像表示工程と、前記複数の表示パネルのうち、少なくとも１枚の前記表示パネルの外形形状を変形させて前記立体画像の内容を調整する表示パネル変形工程と、を有することを特徴とする表示装置の表示方法。
【００２３】
上記した表示方法によれば、画像表示工程において、立体画像を構成する第１の部分画像の遠近位置に基づいた画像を複数の表示パネルに表示することにより、観察者に立体画像を視認させる。このとき、表示パネル変形工程において、表示パネルの外形形状を変形させて立体画像の内容を調整することができ、この調整により、十分な奥行き感のある立体画像や、自然で滑らかな奥行き感を持つ立体画像を表現することができる。
【００２４】
［適用例１０］
表示パネルを有して観察者に立体画像を視認させる表示装置の表示方法であって、第１の部分画像を表示する画像表示工程と、前記表示パネルの外形形状を変形させて前記立体画像の内容を調整する表示パネル変形工程と、を有し、前記表示パネル変形工程において、前記第１の部分画像を構成する複数の第２の部分画像のそれぞれの遠近位置に応じて、前記表示パネルにおける前記第２の部分画像の領域を視認側から見て凹状又は凸状となるように変形させることを特徴とする表示装置の表示方法。
【００２５】
上記した表示方法によれば、表示パネル変形工程において、第１の部分画像を構成する複数の第２の部分画像のそれぞれの遠近位置に応じて、第２の部分画像の領域を凹状又は凸状となるように変形させる。これにより、手前に位置する第２の部分画像については表示パネルの領域を例えば凸状にして観察者側に近付け、逆に遠くに位置する第２の部分画像については表示パネルの領域を例えば凹状にして観察者側から遠ざけることができる。このように、表示パネルの領域の部分的な凹状又は凸状の変形を行う簡易な対応により、立体画像を表現することができる。
【発明を実施するための最良の形態】
【００２６】
以下、本実施形態に係る表示装置について図面を参照して説明する。なお、各図における表示装置の説明では、表示装置における各層や各部材を図面上で認識可能な程度の大きさとするため、各層や各部材の縮尺を実際とは異なるように表わしている。
【００２７】
最初に、本実施形態に係る表示装置の概略について説明する。
図１は、本実施形態に係る表示装置１を示す概略図である。同図に示すように、表示装置１は、２枚の表示パネルＰ１，Ｐ２を有している。これらの表示パネルＰ１，Ｐ２はそれぞれが所定の間隔をおいて重なるように配置されている。表示パネルＰ１は観察者Ｍの視認側から遠い側に配置され、表示パネルＰ２は視認側から近い側に配置されている。
【００２８】
表示パネルＰ１，Ｐ２のそれぞれは有機ＥＬパネルからなり、図１に示すように、基板１０、回路素子部２０及び表示素子部３０が順に積層され、封止部５０により封止された構造となっている。各表示素子部３０から発した表示光は、各封止部５０から観察者Ｍ側へ出射される。ここで、表示パネルＰ２は透光性を有しており、表示パネルＰ１から出射された表示光Ｒ１は、表示パネルＰ２を透過して観察者Ｍの目に入射する。また、表示パネルＰ２から出射された表示光Ｒ２は、そのまま観察者Ｍの目に入射する。
観察者Ｍは、表示パネルＰ１に表示されて表示パネルＰ２を透過した画像と、表示パネルＰ２に表示された画像とを合成した画像により立体画像を視認することができる。
【００２９】
次に、有機ＥＬパネルからなる表示パネルＰ１，Ｐ２の構成について説明する。
図２は表示パネルＰ１，Ｐ２の配線構造を示す平面模式図である。同図に示すように、表示パネルＰ１，Ｐ２には、複数の走査線１０１と、それぞれの走査線１０１に対して交差する方向に延びる複数の信号線１０２と、それぞれの信号線１０２に並列に延びる複数の電源線１０３とが配線されている。
【００３０】
信号線１０２にはデータ側駆動回路１０４が接続され、走査線１０１には走査側駆動回路１０５が接続されている。走査線１０１と信号線１０２とにより区画された各画素領域には、走査線１０１を介して走査信号がゲート電極に供給されるスイッチング用の薄膜トランジスタ１２２と、このスイッチング用の薄膜トランジスタ１２２を介して信号線１０２から共有される画素信号を保持する保持容量ｃａｐと、当該保持容量ｃａｐによって保持された画素信号がゲート電極に供給される駆動用の薄膜トランジスタ１２３と、この駆動用の薄膜トランジスタ１２３を介して電源線１０３に電気的に接続したときに当該電源線１０３から駆動電流が流れ込む陽極としての画素電極３１と、この画素電極３１と陰極３３との間に挟み込まれる機能層３２とが設けられている。これらの画素電極３１と陰極３３と機能層３２とにより発光部Ａが構成され、表示パネルＰ１，Ｐ２は、この発光部Ａをマトリクス状に複数備えて構成されている。
【００３１】
図３は、表示パネルＰ１，Ｐ２の断面構造を拡大した模式図である。同図に示すように、表示パネルＰ１，Ｐ２は、基板１０上に回路素子部２０と表示素子部３０とが順に積層されている。これらの回路素子部２０及び表示素子部３０は、いずれも透光性を有している。表示素子部３０は、画素電極３１と、機能層３２と、陰極３３と、基板１０上に形成され画素領域のそれぞれを区画するバンク層３７とにより構成されている。また、画素電極３１と機能層３２と陰極３３とにより発光部Ａが構成されている。
【００３２】
基板１０は、表示パネルＰ２の場合は透明基板を用い、表示パネルＰ１の場合は不透明基板を用いる。
機能層３２は、画素電極３１の上に積層された正孔注入／輸送層（電荷注入層）３２１と、正孔注入／輸送層３２１上に隣接して形成された発光層３２２と、この発光層３２２上に隣接して形成された電子注入層（電荷注入層）３２３とにより構成されている。
正孔注入／輸送層３２１は、正孔を発光層３２２に注入する機能を有するとともに、正孔を正孔注入／輸送層３２１内部において輸送する機能を有する。また、電子注入層３２３は、電子を発光層３２２に注入する機能を有するとともに、電子を電子注入層３２３内部において輸送する機能を有する。
【００３３】
発光層３２２は、赤色に発光する赤色発光層３２２ｒ、緑色に発光する緑色発光層３２２ｇ、及び青色に発光する青色発光層３２２ｂの３種類を有し、各発光層３２２ｒ，３２２ｇ，３２２ｂが規則的に配列されている。
画素電極３１及び陰極３３は、透光性の導電材料であって機能層３２に電流を流す役割を果たす。
バンク層３７は、回路素子部２０上に隣接して形成された無機バンク層３７１と、この無機バンク層３７１上に隣接して形成された有機バンク層３７２とを備えている。
また、図１に示す封止部５０は、表示パネルＰ１，Ｐ２のそれぞれの内部に水分や酸素が浸透するのを防止するためのものである。
【００３４】
次に、表示装置１の機能構成について説明する。
図４は、表示装置１の機能構成の例を示すブロック図である。同図に示すように、表示装置１は、制御部１１、操作部１２、画像表示部１３、記憶部１４、表示パネルＰ１，Ｐ２、表示パネル変形部６０等を含んで構成される。
【００３５】
制御部１１は、図示しないＣＰＵ、ＲＯＭ、ＲＡＭ等を備えて、表示装置１における上記した各部等を制御する。
操作部１２は、ユーザからの操作を入力ボタン等により受け付け、例えば表示装置１に立体画象を表示する指定や、立体画像の表示内容を調整する指定等を受け付ける。
【００３６】
画像表示部１３は、記憶部１４に記憶されている画像データ１４ａに基づいて、各表示パネルＰ１，Ｐ２に画像を表示する。観察者Ｍは、各表示パネルＰ１，Ｐ２に表示された画像の合成画像を見ることにより立体画像として視認する。ここで、各表示パネルＰ１，Ｐ２に表示する画像は、立体画像を構成する各部分画像の遠近位置に基づいて生成された画像である。この表示する画像の詳細については後述する。
【００３７】
記憶部１４は、例えばＥＥＰＲＯＭ（Electrically Erasable Programmable Read-Only Memory）やフラッシュメモリのような不揮発性メモリであり、画像表示部１３が表示する対象となる画像データ１４ａ等を記憶する。
表示パネルＰ１，Ｐ２については前述した通りである。
表示パネル変形部６０は、アクチュエータ駆動部６０ａを備えており、立体画像を構成する各部分画像の遠近位置に応じて、表示パネルＰ１，Ｐ２おける表示領域について外形形状の変形を行う。また、操作部１２を介してユーザが入力する指示に従っても、表示パネルＰ１，Ｐ２について外形形状の変形を行うことができる。
なお、本実施形態では、表示パネルＰ１，Ｐ２の両方について変形を行う例を述べるが、表示パネルＰ１，Ｐ２のいずれか１つについて変形を行っても良い。
【００３８】
図５は、表示パネルＰ１，Ｐ２の変形機構の概要を示す図である。表示パネルＰ１，Ｐ２は、表示領域の全てについて外形形状がフレキシブルに変形可能な構造となっている。また、表示パネルＰ１，Ｐ２の外周端部は、同じくフレキシブルに変形可能な部材からなるフレーム６５に組み合わされて一体形成されている。
フレーム６５の図５における上下部材には、それぞれ８個のアクチュエータ６６が等間隔に設けられ、図５における左右部材には、それぞれ６個のアクチュエータ６６が等間隔に設けられている。そして、上下に対向する各アクチュエータ６６の間にはＹ方向に延びる８本の伸縮自在な透明バンドが張設されている。図５では、例としてＹ方向に延びる１本の透明バンドＢＹを網掛けで示している。また、左右に対向する各アクチュエータ６６の間にはＸ方向に延びる６本の伸縮自在な透明バンドが張設されている。図５では、例としてＸ方向に延びる１本の透明バンドＢＸを網掛けで示している。
【００３９】
各アクチュエータ６６は、アクチュエータ駆動部６０ａからの駆動信号に応じて、各透明バンドに対して、表示パネルＰ１，Ｐ２の奥行き方向（Ｚ方向）に押圧を加えたり引圧を加えたりすることができる。この各透明バンドへの圧力の組合わせにより、表示パネルＰ１，Ｐ２の全ての表示領域において、Ｙ方向及びＸ方向に張設された各透明バンドが交差する所定の領域の外形形状を凹状又は凸状に変形させることができる。この各透明バンドが交差する各領域を部分領域と称する。表示パネルＰ１，Ｐ２は、これらの部分領域により領域全体が構成される。図５では、例として透明バンドＢＹと透明バンドＢＸが交差する部分領域ＢＸＹを示している。
【００４０】
なお、上記した画像表示部１３における処理は、画像表示工程に相当する。また、表示パネル変形部６０における処理は、表示パネル変形工程に相当する。
【００４１】
次に、各表示パネルＰ１，Ｐ２に表示する画像について説明する。
図６は、観察者Ｍが視認する立体画像のイメージの例を示す図である。同図では、前景として一人の人物が、背景として家と山などの景色が立体的に描かれている。観察者Ｍがこの立体画像を視認した場合、立体画像において、人物画像Ｓ１は相対的に近位置として視認され、家画像Ｓ２及び山画像Ｓ３は相対的に遠位置として視認される。
【００４２】
図７は、各表示パネルＰ１，Ｐ２に表示する背景及び前景の画像の例を示す図であり、（ａ）は表示パネルＰ１に表示する背景の画像を示し、（ｂ）は表示パネルＰ２に表示する前景の画像を示す。（ａ）では、家画像Ｓ２及び山画像Ｓ３のみで画像が構成されている。（ｂ）では、人物画像Ｓ１のみで画像が構成されている。このように、図６に示す立体画像が、第１の部分画像としての図７（ａ）に示す背景の画像と、もう一つの第１の部分画像としての図７（ｂ）に示す前景の画像とに分割されている。
【００４３】
観察者Ｍは、人物画像Ｓ１については、視認側から近い側に配置されている表示パネルＰ２における画像を見ることになる。これにより、観察者Ｍは、人物画像Ｓ１が立体画像において近位置に位置するとして視認することができる。また、家画像Ｓ２及び山画像Ｓ３については、視認側から遠い側に配置されている表示パネルＰ１における画像を見ることになる。これにより、観察者Ｍは、家画像Ｓ２及び山画像Ｓ３が立体画像において遠位置に位置するとして視認することができる。これらの結果、観察者Ｍは、図６に示すような、手前に人物が位置し、背景となる家と山などの景色が遠くに位置する奥行き感のある画像を視認することができる。
【００４４】
次に、各表示パネルＰ１，Ｐ２の外形形状を変更することにより、立体画像の内容を調整する例について説明する。
図８は、各表示パネルＰ１，Ｐ２に表示する背景及び前景の画像における部分領域を示す図であり、（ａ）は表示パネルＰ１に表示する背景の画像における部分領域を示し、（ｂ）は表示パネルＰ２に表示する前景の画像における部分領域を示す。
【００４５】
図８（ａ）に示す表示パネルＰ１に対してパネルの外形形状の変形を行う例について説明する。図６に示す立体画像では、家画像Ｓ２及び山画像Ｓ３が背景となっているが、実際には家画像Ｓ２の方が山画像Ｓ３よりも手前に位置している。観察者Ｍに対して、家画像Ｓ２が山画像Ｓ３よりも手前に位置していると視認させるために、図８（ａ）に示す部分領域ＰＡ１の斜線領域を凸状に変形する。具体的には、各アクチュエータ６６から各透明バンドに圧力を加えることにより、部分領域ＰＡ１を凸状に変形して他の領域を平面上又は凹状に変形するか、又は部分領域ＰＡ１を平面状にして他の領域を凹状に変形する。なお、ここでは、図８（ａ）に示す背景の画像において、全体の画像が第１の部分画像となり、部分領域ＰＡ１の画像が第２の部分画像となる。
【００４６】
次に、図８（ｂ）に示す表示パネルＰ２に対してパネルの外形形状の変形を行う例について説明する。図８（ｂ）では人物画像Ｓ１の画像を表示しているが、観察者Ｍが視認する立体画像において人物画像Ｓ１の顔部分の面積を縮小して例えば小顔にする等の対応を行う。そのために、図８（ｂ）に示す部分領域ＰＡ２の斜線領域を凹状に変形する。具体的には、各アクチュエータ６６から各透明バンドに圧力を加えることにより、部分領域ＰＡ２を凹状に変形して他の領域を平面上又は凸状に変形するか、又は部分領域ＰＡ２を平面状にして他の領域を凸状に変形する。なお、ここでは、図８（ｂ）に示す前景の画像において、全体の画像が第１の部分画像となり、部分領域ＰＡ２の画像が第２の部分画像となる。
【００４７】
このように、表示パネルＰ１，Ｐ２の部分領域を凹状又は凸状に変形することにより、十分な奥行き感のある立体画像や、自然で滑らかな奥行き感を持つ立体画像を表現することができる。また、人物の画像の顔部分を縮小する等の加工処理についても、加工対象の部分領域を凹状又は凸状に変形することにより対応することができる。
【００４８】
次に、各表示パネルＰ１，Ｐ２に輝度調整を行った画像を表示し、観察者Ｍに図６に示す立体画像を視認させる例について説明する。
図９は、各表示パネルＰ１，Ｐ２に表示する、輝度調整を行った画像の例を示す図であり、（ａ）は表示パネルＰ１に表示する画像を示し、（ｂ）は表示パネルＰ２に表示する画像を示す。（ａ）では、家画像Ｓ２及び山画像Ｓ３の輝度が人物画像Ｓ１と比較して高くなるように調整してある。（ｂ）では、人物画像Ｓ１の輝度が家画像Ｓ２及び山画像Ｓ３と比較して高くなるように調整してある。
【００４９】
観察者Ｍは、人物画像Ｓ１については、表示パネルＰ２における輝度が高くて表示パネルＰ１における輝度が低い画像を見ることになる。これにより、観察者Ｍは、人物画像Ｓ１が立体画像において近位置に位置するとして視認することができる。また、観察者Ｍは、家画像Ｓ２及び山画像Ｓ３については、表示パネルＰ１における輝度が高くて表示パネルＰ２における輝度が低い画像を見ることになる。これにより、観察者Ｍは、家画像Ｓ２及び山画像Ｓ３が立体画像において遠位置に位置するとして視認することができる。これらの結果、観察者Ｍは、図６に示すような、手前に人物が位置し、背景となる家及び山の景色等が遠くに位置する奥行き感のある画像を視認することができる。
【００５０】
ここで、各表示パネルＰ１，Ｐ２に表示する輝度調整を行った画像に対しても、前述したように各表示パネルＰ１，Ｐ２の外形形状を変更することにより、立体画像の内容を調整することができる。
【００５１】
（変形例１）
上述した実施形態では、図６に示すような人物と山の景色等が立体的に描かれている立体画像を、観察者Ｍに視認させる例について説明した。しかし、表示する立体画像は、このような人物画像や風景画像には限られない。例えば、立体画像として表現する画像が、カーナビゲーション等で利用する地図画像等であっても良い。
【００５２】
（変形例２）
上述した実施形態では、２枚の表示パネルＰ１，Ｐ２を配置するようにした。しかし、配置する表示パネルの枚数は、これに限られない。例えば、更に多くの枚数の表示パネルを配置し、立体画像における対象物の相対的な位置を近位置及び遠位置よりも更に細かく分けて、それぞれの遠近位置に基づいた画像を各表示パネルに表示するようにしても良い。
これにより、立体画像における遠近位置に基づいて更に木目細かく調整された画像を各表示パネルに表示することができ、更に木目細かい奥行き感のある立体画像を表現することができる。
【００５３】
また、例えば、図１０に示すように表示パネルを１枚のみ配置し、この表示パネルＰ１に対して、前述したように外形形状を変更することにより、例えば、人物画像を小顔にする等の対応を行ったり、観察者Ｍに立体画像として視認させたりしても良い。
【図面の簡単な説明】
【００５４】
【図１】表示装置を示す概略図。
【図２】表示パネルの配線構造を示す平面模式図。
【図３】表示パネルの断面構造を拡大した模式図。
【図４】表示装置の機能構成の例を示すブロック図。
【図５】表示パネルの変形機構の概要を示す図。
【図６】観察者が視認する立体画像のイメージの例を示す図。
【図７】各表示パネルに表示する背景及び前景の画像の例を示す図。
【図８】各表示パネルに表示する背景及び前景の画像における部分領域を示す図。
【図９】各表示パネルに表示する、輝度調整を行った画像の例を示す図。
【図１０】表示装置の変形例を示す概略図。
【符号の説明】
【００５５】
１…表示装置、１０…基板、１１…制御部、１２…操作部、１３…画像表示部、１４…記憶部、１４ａ…画像データ、２０…回路素子部、３０…表示素子部、３１…画素電極、３２…機能層、３３…陰極、３７…バンク層、５０…封止部、６０…表示パネル変形部、６０ａ…アクチュエータ駆動部、６５…フレーム、６６…アクチュエータ、Ｐ１，Ｐ２…表示パネル、ＰＡ１，ＰＡ２…部分領域、Ｒ１，Ｒ２…表示光、Ｓ１…人物画像、Ｓ２…家画像、Ｓ３…山画像。
【図１】
2010049055.tif 000003
【図２】
2010049055.tif 000004
【図３】
2010049055.tif 000005
【図４】
2010049055.tif 000006
【図５】
2010049055.tif 000007
【図６】
2010049055.tif 000008
【図７】
2010049055.tif 000009
【図８】
2010049055.tif 000010
【図９】
2010049055.tif 000011
【図１０】
2010049055.tif 000012